(57)【要約】【課題】  本考案は、永久磁石を他の材質と同様の大きさ及び形状、特に球状に形成しても、その最大磁束密度を所定磁束密度の範囲内にした磁気ネックレスを提供する。【解決手段】  本考案の磁気ネックレス１は、ネックレス本体部２と、該ネックレス本体部２の両端部を結合させる止め具部３とによって構成され、前記ネックレス本体部２が、細長い袋状部材２０及び該袋状部材２０内に配される複数の永久磁石部４及び該永久磁石部４の間に配置される間隔調整部５からなり、前記永久磁石部４が、磁力接着された少なくとも２つの球状永久磁石４０から構成され、前記間隔調整部５が非磁性体から形成される少なくとも１つの球体部材５０からなることを特徴とする。【選択図】    図１
0003217984.tif 000002
【実用新案登録請求の範囲】
【請求項１】
ネックレス本体部と、該ネックレス本体部の両端部を結合させる止め具部とによって構成され、前記ネックレス本体部が、細長い袋状部材及び該袋状部材内に配される複数の永久磁石部及び該永久磁石部の間に配置される間隔調整部からなる磁気ネックレスにおいて、
前記永久磁石部が、磁力接着された少なくとも２つの球状永久磁石から構成され、前記間隔調整部が非磁性体から形成される少なくとも１つの球体部材からなることを特徴とする磁気ネックレス。
【考案の詳細な説明】
【技術分野】
【０００１】
本考案は、永久磁石を具備し、首周辺に磁気があたるようにした磁気ネックレスに関する。
【背景技術】
【０００２】
特許文献１（実開平７−１１９１９号公報）は、木、プラスチック、ガラス、セラミック、磁性体、金属等で作られたビーズ、管、又は連結可能な板、或いは多形体のピースの表面に遠赤外線放射塗料を塗布加工し、数珠状、又は両端にフックやカンを設けて連珠状に構成した装飾を兼ねた保健用遠赤外線放射ネックレスを開示する。
【０００３】
特許文献２（特開２００４−１６６８９５号公報）は、リングに複数の永久磁石を配設して構成される永久磁石リングを開示する。この永久磁石リングは、上記永久磁石の各々に通し穴が形成され、その通し穴に上記リングが通されていることにより上記永久磁石の各々が、リングに対して移動可能に装着されるものである。また、互いに隣り合う永久磁石の対抗する磁極が相互に同極となるように配置され、互いに磁気反発してリング上で所定の間隔が開くようになっているものである。
【０００４】
特許文献３（特開２００９−１８０６１号公報）は、ネックレス等に用いられて身体に血行促進作用を及ぼす磁気治療器具において、樹脂と着磁された複数の粒状の固体物とからなり、可撓性を有する長尺な磁性部を備え、前記複数の固形物が、前記樹脂に覆われた状態で互いに離間した位置に配置されている磁気治療器具、いわゆる磁気ネックレスを開示する。
【０００５】
上記特許文献１又は２に開示されているネックレスでは、構成ピースのそれぞれにひもを通すための穴を形成する必要があるため、加工に手間がかかるという不具合があり、また、直接構成ピースが肌に触れるため、装着した場合に違和感があり、また構成ピースの角によって皮膚に傷が付くという不具合があった。
【０００６】
また、特許文献３に開示されているネックレスでは、樹脂に着磁された複数の粒状の固体物を、それぞれが離間するように混入させるため、磁性体の極性がランダムとなるため、磁気が有効に働かないという不具合があった。
【０００７】
このため、本考案者は、上述した課題を解決するために、健康のために設けられる構成ピースを、皮膚に直接当てることなく容易にネックレス状に形成した磁気ネックレスを考案した（実用新案登録第３１６０５５６号）。
【先行技術文献】
【特許文献】
【０００８】
【特許文献１】実開平７−１１９１９号公報
【特許文献２】特開２００４−１６６８９５号公報
【特許文献３】特開２００９−１８０６１号公報
【特許文献４】実用新案登録第３１６０５５６号
【考案の概要】
【考案が解決しようとする課題】
【０００９】
磁気ネックレスについて家庭用永久磁石磁気治療器に該当するため、平成１０年厚生省告示第１１９号によって定められた家庭用永久磁石磁気治療器基準では、「磁束密度計を用いて各磁石について患部に接触する部分の表面磁束密度を測定した場合における最大磁束密度は、３５ｍＴ以上２００ｍＴ以下（以下、所定磁束密度）でなければならないと規定されており、永久磁石の磁束密度を所定磁束密度よりも大きくしないようにする工夫が必要である。このため、本考案者による実用新案登録第３１６０５５６号に係る磁気ネックレスでは、ネックレス内に配置される永久磁石の形状を円筒形状とし、永久磁石の磁力線の放出方向をネックレスの沿った方向にすることによって、ネックレス側部の磁束密度を低下させ、磁束密度を上記範囲内に収めるようにしていた。
【００１０】
しかしながら、意匠的には、内部に収納される永久磁石及びその他の材質による球状物質は、同一の大きさ及び形状であることが望ましく、また材料の製造についても同一の大きさ及び形状であることが望ましい。
【００１１】
しかしながら、永久磁石を、他の材質の場合と同様に球体形状とした場合には、永久磁石の磁力線の方向を一定にすることが難しいことから、永久磁石の磁力線の方向によってはその最大磁束密度が前記所定磁束密度を超えるという問題が生じる。
【００１２】
このため、本考案は、永久磁石を他の材質と同様の大きさ及び形状、特に球状に形成しても、その最大磁束密度を３５ｍＴ以上２００ｍＴ以下（以下、所定磁束密度）の範囲内にした磁気ネックレスを提供することにある。
【課題を解決するための手段】
【００１３】
本考案は、ネックレス本体部と、該ネックレス本体部の両端部を結合させる止め具部とによって構成され、前記ネックレス本体部が、細長い袋状部材及び該袋状部材内に配される複数の永久磁石部及び該永久磁石部の間に配置される間隔調整部からなる磁気ネックレスにおいて、前記永久磁石部が、磁力接着された少なくとも２つの球状永久磁石から構成され、前記間隔調整部が非磁性体から形成される少なくとも１つの球体部材からなることにある。
【００１４】
前記ネックレス本体部の袋状部材は、天然素材若しくは合成素材からなる細長い円筒状部材又は合成樹脂からなる細長い円筒状部材であることが望ましい。これによって金属アレルギーを有する人にも磁気ネックレスが使用可能となる。
【００１５】
また、前記永久磁石部は、少なくとも２つの球状永久磁石を磁力接合させて、前記ネックレス本体部の袋状部材内に収納されるため、永久磁石部の磁力線は前記ネックレス本体部に沿った方向となる。このため、前記永久磁石部の最大磁束密度を３５ｍＴ以上２００ｍＴ以下（以下、所定磁束密度）の範囲内に低減することが可能となるものである。
【００１６】
前記間隔調整部は、この考案では、樹脂（プラスチック）製の球体部材であることが望ましい。しかしながら、トルマリンや水晶などの天然石を球状に形成したものであっても良い。これによって、磁気ネックレスの付加価値を付けることが可能となるものである。
【考案の効果】
【００１７】
上述したように、この考案によれば、複数の永久磁石部と複数の間隔調整部とを具備するネックレス本体部において、永久磁石部が球状の永久磁石を少なくとも２つ磁力接合させたことによって、永久磁石部の磁力線方向を前記ネックレス本体部に沿った方向にすることができることから、その永久磁石部の最大磁束密度を、３５ｍＴ以上２００ｍＴ以下（以下、所定磁束密度）の範囲内に低減することが可能となるという効果を奏するものである。
【図面の簡単な説明】
【００１８】
【図１】本考案に係る磁気ネックレスの説明図である。
【図２】本考案に係る磁気ネックレスの永久磁石部の説明図である。
【考案を実施するための形態】
【００１９】
以下、本考案の実施例について、図面により説明する。
【実施例】
【００２０】
本考案に係る磁気ネックレス１は、図１に示すように、のネックレス本体部２と、このネックレス本体部２の両端に位置する留め具部３とによって構成される。
【００２１】
前記ネックレス本体部２は、例えば、リネン、木綿等の天然素材、ポリエステル等の合成素材からなる織物、メリヤス編み物、フェルト、不織布などの布を所定の長さの袋状に形成した袋状部材２０若しくは合成樹脂によって一体成形された円筒状の袋状部材２０を具備し、さらに袋状部材２０の内部に、永久磁石部４及び間隔調整部５からなる収納部材２１を具備する。
【００２２】
この両端が開口した袋状部材２０に、複数の永久磁石部４と、これら永久磁石部４の間に配置される間隔調整部５とを交互に挿入して、ネックレス本体部２の内部の収納部材２１を構成する。そして、前記袋状部材２０の両端を、止め具部３を構成する止め具部材３Ａ，３Ｂによってそれぞれ閉塞することによって、収納部材２１をその内部に封入する。止め具部３は、それぞれ止め具部材３Ａ，３Ｂからなり、通常は分離しているが、止め具部材３Ａ，３Ｂを係合することによって前記ネックレス本体部２を環状にすることができるものである。
【００２３】
前記永久磁石部４は、例えば図２に示すように、少なくとも２つの球状永久磁石４０が磁力接着されて構成されるもので、これによって永久磁石部４の磁力線の方向を前記ネックレス本体部２に沿った方向に形成できるものである。このとき、永久磁石部４の前面Ａの磁束密度に比べて永久磁石部４の側面Ｂの磁束密度は、低くなる。この結果として、永久磁石部４の最大磁束密度を、所定の磁束密度（３５ｍＴ以上２００ｍＴ以下）の範囲内に低減することが可能となるものである。尚、この実施例では、２つの球状永久磁石４０を２つ磁力接着させたが、これに限定されることなく、３つ若しくはそれ以上を磁力接着させて構成しても良いものである。
【００２４】
また前記間隔調整部５は、複数の球状部材５０、特に非磁性体の材料から形成された球状部材５０である。また、この球状部材５０は、その数を調整することによって前記永久磁石部４の間隔を調整することができるものである。また、この実施例では、永久磁石部４の間隔を均一としたが、前記球状部材の数に変化を持たせることで、永久磁石部４をランダムに配置することも可能である。
【００２５】
さらに、間隔調整部５の球状部材５０は、合成樹脂によって安価に形成することが望ましいが、トルマリン、水晶などの天然石等を用いて形成しても良いものである。
【００２６】
さらに、前記永久磁石４０と前記球状部材５０は、同一の大きさに形成することが望ましい。
【００２７】
さらに、前記ネックレス本体部２の袋状部材２０を、熱収縮性樹脂によって形成し熱収縮させることによって、球状の永久磁石４０及び球状部材５０に沿って密着させた形状として磁気ネックレス１の意匠性を向上させても良いものである。尚、熱収縮性樹脂としては、ポリオレフィン、ポリ塩化ビニル、ポリフッ化ビニリデンなどがある。
【符号の説明】
【００２８】
１  磁気ネックレス
２  ネックレス本体部
３  留め具部
４  永久磁石部
５  間隔調整部
２０  袋状部材
２１  収納部材
４０  永久磁石
５０  球状部材
【図１】
0003217984.tif 000003
【図２】
0003217984.tif 000004